(57)【要約】【課題】親綱を取り付ける支柱を容易かつ短時間に設置することができるトラック用親綱張設具を提供する。【解決手段】トラックの車輪が乗せられる基台１と、基台１上に垂直に取り付けられた支柱３とを備え、支柱３は、トラックの荷台より高い長さを有し、上部に親綱取り付け環５が取り付けられている。【選択図】図５
2015070980.tif 000002
【特許請求の範囲】
【請求項１】
トラックの車輪が乗せられる基台と、前記基台上に垂直に取り付けられた支柱とを備え、前記支柱は、前記トラックの荷台より高い長さを有し、上部に親綱取り付け環が取り付けられていることを特徴とするトラック用親綱張設具。
【請求項２】
前記支柱は、伸縮可能であることを特徴とする、請求項１に記載のトラック用親綱張設具。
【請求項３】
前記支柱は、前記基台に着脱可能に取り付けられていることを特徴とする、請求項１または２に記載のトラック用親綱張設具。
【請求項４】
前記基台上には、前記車輪と直交する方向に間隔をあけて２本の補強部材が突出して設けられ、前記車輪は、前記補強部材間の前記基台上に乗せられることを特徴とする、請求項１から３の何れか１つに記載のトラック用親綱張設具。
【発明の詳細な説明】
【技術分野】
【０００１】
この発明は、トラック用親綱張設具、特に、トラックの荷台上での積載物の積下ろし作業を安全に行うことができるトラック用親綱張設具に関するものである。
【背景技術】
【０００２】
トラックの荷台上での積載物の積下ろし作業を行うに当たっては、作業者が足を踏み外したり、滑らせたり、つまづいたりして、荷台から転落する事故が発生するおそれがある。
【０００３】
特許文献１には、このような転落事故を未然に防止するトラック用親綱張設具が開示されている。以下、この親綱張設具を従来親綱張設具といい、図面を参照しながら説明する。
【０００４】
図７は、従来親綱張設具を示す正面図であり、（ａ）は、支柱を伸ばした状態を示す図、（ｂ）は、支柱を縮めた状態を示す図、図８は、トラックに設置した従来親綱張設具を示す側面図、図９は、従来親綱張設具の固定部分を示す斜視図である。
【０００５】
図７に示すように、従来親綱張設具は、トラックの荷台のアオリに取り付けられる伸縮可能な支柱２１からなっている．支柱２１は、二段式で外筒２１ａと外筒２１ａ内に挿入された内筒２１ｂとからなり、内筒２１ｂの上部には、親綱取り付け環２２が取り付けられている。外筒２１ａと内筒２１ｂとは、図７（ａ）に示すように、内筒２１ｂを伸ばした状態でピン２３により固定され、図７（ｂ）に示すように、縮めた状態でピン２３により固定される。
【０００６】
従来親綱張設具は、図８に示すように、トラック２４の荷台のアオリ２５に２本設置する。すなわち、図９に示すように、外筒２１ａの下部をトラック２４の荷台のアオリ２５に固定金具２６により固定し、外筒２１ａの上部とアオリ２５との間に補助部材２７を固定する。この後、内筒２１ｂの親綱取り付け環２２間に親綱２８を張り渡し、内筒２１ｂを伸ばす。この後、ピン２３により内筒２１ｂを外筒２１ａに固定する。そして、作業者に取り付けた命綱（図示せず）を親綱２８に係止した状態で、トラック２４の荷台上での積載物の積下ろし作業を行う。
【０００７】
これによって、作業者が積載物の積下ろし作業を行う際に、足を踏み外したり、滑ったり、あるいは、つまづいたりすることによる荷台からの転落事故を未然に防止することができる。
【先行技術文献】
【特許文献】
【０００８】
【特許文献１】特開平７−１２７２４０号公報
【発明の開示】
【発明が解決しようとする課題】
【０００９】
上記従来親綱張設具によれば、トラック２４の荷台上での積載物の積下ろし作業を行う際に、作業者が足を踏み外したり、滑らせたり、つまづいたりすることによる荷台からの転落事故を未然に防止することができるが、支柱２１をトラック２４の荷台のアオリ２５に固定するのに固定金具２６を使用するので、支柱２１の固定に時間と手間を要するといった問題があった。
【００１０】
従って、この発明の目的は、親綱が取り付けられる支柱を容易かつ短時間に設置することができるトラック用親綱張設具を提供することにある。
【課題を解決するための手段】
【００１１】
この発明は、上記目的を達成するためになされたものであって、下記を特徴とするものである。
【００１２】
請求項１記載の発明は、トラックの車輪が乗せられる基台と、前記基台上に垂直に取り付けられた支柱とを備え、前記支柱は、前記トラックの荷台より高い長さを有し、上部に親綱取り付け環が取り付けられていることに特徴を有するものである。
【００１３】
請求項２に記載の発明は、請求項１記載の発明において、前記支柱は、伸縮可能であることに特徴を有するものである。
【００１４】
請求項３に記載の発明は、請求項１または２記載の発明において、前記支柱は、前記基台に着脱可能に取り付けられていることに特徴を有するものである。
【００１５】
請求項４に記載の発明は、請求項１から３の何れか１つに記載の発明において、前記基台上には、前記車輪と直交する方向に間隔をあけて２本の補強部材が突出して設けられ、前記車輪は、前記補強部材間の前記基台上に乗せられることに特徴を有するものである。
【発明の効果】
【００１６】
この発明によれば、支柱が取り付けられた基台上にトラックの車輪を乗せることによって、支柱をトラックの自重によって固定することができるので、支柱の固定に特別な部材を必要としない。この結果、支柱を容易かつ短時間に設置することができる。
【００１７】
また、この発明によれば、支柱を伸縮可能にすることによって、親綱の高さ調整が行える。
【００１８】
また、この発明によれば、支柱を基台に着脱可能に取り付けることによって、親綱張設具の運搬および収納が容易に行える。
【図面の簡単な説明】
【００１９】
【図１】この発明のトラック用親綱張設具を示す一部切り欠き正面図である。
【図２】この発明のトラック用親綱張設具を示す平面図である。
【図３】この発明のトラック用親綱張設具を示す底面図である。
【図４】この発明のトラック用親綱張設具を示す一部切り欠き側面図である。
【図５】この発明のトラック用親綱張設具を示す一部切り欠き斜視図である。
【図６】この発明のトラック用親綱張設具をトラックに設置した状態を示す斜視図である。
【図７】従来親綱張設具を示す正面図であり、（ａ）は、支柱を伸ばした状態を示す図、（ｂ）は、支柱を縮めた状態を示す図である。
【図８】トラックに設置した従来親綱張設具を示す側面図である。
【図９】従来親綱張設具の固定部分を示す斜視図である。
【発明を実施するための形態】
【００２０】
この発明のトラック用親綱張設具の一実施態様を、図面を参照しながら説明する。
【００２１】
図１は、この発明のトラック用親綱張設具を示す一部切り欠き正面図、図２は、この発明のトラック用親綱張設具を示す平面図、図３は、この発明のトラック用親綱張設具を示す底面図、図４は、この発明のトラック用親綱張設具を示す一部切り欠き側面図、図５は、この発明のトラック用親綱張設具を示す一部切り欠き斜視図、図６は、この発明のトラック用親綱張設具をトラックに設置した状態を示す斜視図である。
【００２２】
図１から図６において、１は、トラックの車輪が乗せられる基台である。基台１上には、トラックの車輪と直交する方向に間隔をあけて２本の補強部材２が突出して設けられている。車輪は、補強部材２間の基台１上に乗せられる（図６参照）。補強部材２は、基台１の補強機能の他、車止めの機能も有している。基台１上にトラックの車輪が乗ることによって、基台１は、トラックの自重によって固定されるので、後述する支柱に荷重がかかっても支柱が倒れるおそれはない。
【００２３】
３は、基台１上に固定部材４を介して垂直に取り付けられた支柱である。支柱３は、トラックの荷台より高い長さを有し、上部に親綱取り付け環５が取り付けられている。支柱３は、この例では、一本物であるが、さや構造により伸縮可能としても良い。伸縮可能とした場合、所定高さの位置でピン止め等により固定可能とする。支柱３の下部は、固定部材４内に挿入され、基台１に着脱可能に取り付けられている。支柱３の下部と固定部材４とをボルト止めすれば、より強固に支柱３を基台１に固定することができる。支柱３を基台１に着脱可能に取り付けることによって、親綱張設具の運搬および収納が容易に行える。
【００２４】
このように構成されている、この発明のトラック用親綱張設具によれば、以下のようにして、親綱を張り渡すことができる。
【００２５】
図６に示すように、支柱３の下部を基台１の固定部材４内に挿入して、支柱３を基台１に取り付けた後、トラック６の後輪７を補強部材２間の基台１に乗せる。この場合、後輪７と支柱３との間に隙間をあける。支柱３は、基台１がトラック６の自重により固定されるので、支柱３に荷重がかかっても支柱３が倒れることはない。
【００２６】
このようにして、支柱３を設置したら、支柱３の親綱取り付け環５とトラック６の荷台の鳥居部９との間に親綱１０を張り渡す。このようにして、親綱１０をトラック６の荷台上に張り渡すことができる。
【００２７】
そして、積載物の積下ろし作業を行う際には、作業者の命綱（図示せず）を親綱１０に係止する。
【００２８】
親綱１０の張り渡し箇所は、上記箇所に限らず、例えば、この発明のトラック用親綱張設具をトラック６の前輪１１と後輪７の２箇所に設置し、これらの支柱３間に張り渡しても良い。
【００２９】
以上、説明したように、この発明によれば、支柱３が取り付けられた基台１上にトラック６の車輪を乗せることによって、支柱３をトラック６の自重によって固定することができるので、支柱３の固定に特別な部材を必要としない。この結果、支柱３を容易かつ短時間に設置することができる。
【符号の説明】
【００３０】
１：基台
２：補強部材
３：支柱
４：固定部材
５：親綱取り付け環
６：トラック
７：後輪
８：荷台
９：鳥居部
１０：親綱
１１：前輪
２１：支柱
２１ａ：外筒
２１ｂ：内筒
２２：親綱取り付け環
２３：ピン
２４：トラック
２５：荷台
２６：固定金具
２７：補助部材
２８：親綱
【図１】
2015070980.tif 000003
【図２】
2015070980.tif 000004
【図３】
2015070980.tif 000005
【図４】
2015070980.tif 000006
【図５】
2015070980.tif 000007
【図６】
2015070980.tif 000008
【図７】
2015070980.tif 000009
【図８】
2015070980.tif 000010
【図９】
2015070980.tif 000011